(57)【要約】  本発明は、空気を入れ換える手段を有するタイプのリラクゼーション空間、特に、喫煙室に関し、その手段には、給気手段（８）および排気手段（２０）が設けられ、前記入れ換え手段は、この空間の床（１３）全体および天井（９）にわたって分布した穴で構成されており、リラクゼーション空間は、少なくとも床（１３）の穴が、少なくとも２つの部分、すなわち、前記リラクゼーション空間に開放した下流部分と、その下流部分よりも断面が大きく、床（１３）の他方の側で開放した上流部分とで構成されることを特徴とする。
2012524881.tif 000002
【特許請求の範囲】
【請求項１】
空気を入れ換える手段（２５）を含むタイプのリラクゼーション空間、もしくは喫煙室であって、その手段には、給気手段（１８）および排気手段（２０）が設けられ、前記入れ換え手段が、この空間の床（１３）全体および天井（９）にわたって分布する穴（１６）で構成されているリラクゼーション空間において、少なくとも前記床（１３）の前記穴（１６）は、少なくとも２つの部分、すなわち、前記リラクゼーション空間に開放している下流部分（１６ａ）と、前記下流部分よりも断面が大きく、前記床（１３）の他方の側で開放している上流部分（１６ｂ）とで構成されることを特徴とするリラクゼーション空間。
【請求項２】
前記下流穴部分（１６ａ）の出口断面積は、前記上流穴部分（１６ｂ）の断面積の１／４程度であることを特徴とする、請求項１に記載のリラクゼーション空間。
【請求項３】
前記穴は円形断面であり、前記下流穴（１６ａ）の直径（ｄ１）は、２ｍｍ〜５ｍｍ、好ましくは３ｍｍ程度であることを特徴とする、請求項１および２のいずれかに記載のリラクゼーション空間。
【請求項４】
前記上流穴（１６ｂ）の直径（ｄ２）は、８ｍｍ〜２０ｍｍ、好ましくは１５ｍｍ程度であることを特徴とする、請求項１〜３のいずれか１項に記載のリラクゼーション空間。
【請求項５】
前記穴（１６）は、下流穴（１６ａ）、上流穴（１６ｂ）、および中間穴（１６ｃ）で構成されることを特徴とする、請求項１〜４のいずれか１項に記載のリラクゼーション空間。
【請求項６】
前記上流穴の直径は１２ｍｍ程度であり、前記中間穴の直径は８ｍｍ程度であることを特徴とする、請求項５に記載のリラクゼーション空間。
【請求項７】
前記下流穴（１６ａ）の長さ（ｅ１）は５ｍｍ〜８ｍｍであり、好ましくは６ｍｍであることを特徴とする請求項１〜６のいずれか１項に記載のリラクゼーション空間。
【請求項８】
前記上流穴（１６ｂ）の長さ（ｅ３）は、２０ｍｍ〜６０ｍｍであり、好ましくは４０ｍｍであることを特徴とする、請求項１〜７のいずれか１項に記載のリラクゼーション空間。
【請求項９】
前記中間穴（１６ｃ）の長さ（ｅ２）は、５ｍｍ〜１５ｍｍであり、好ましくは１０ｍｍであることを特徴とする請求項５〜８のいずれか１項に記載のリラクゼーション空間。
【請求項１０】
前記給気手段は、建物の前記床（７、７ａ）を介して作用しており、前記排気手段は、建物の前記天井（５、５ａ）を介して作用していることを特徴とする、請求項１〜９のいずれか１項に記載のリラクゼーション空間。
【請求項１１】
前記穴（１６）があけられた上げ床（７ｂ）および吊り天井（５ａ）を含み、前記吊り天井の穴は、天井全体にわたって規則的な態様で分布することを特徴とする、請求項１〜１０のいずれか１項に記載のリラクゼーション空間。
【請求項１２】
前記穴（１６）は、五の目形配置で配置されることを特徴とする、請求項１１に記載のリラクゼーション空間。
【請求項１３】
前記穴（１６）の分布密度は３０００／ｍ２程度であることを特徴とする、請求項１〜１２のいずれか１項に記載のリラクゼーション空間。
【請求項１４】
空気は、前記床（１３）を通って吹き込まれ、前記天井（９）を通って排出されることを特徴とする、請求項１〜１３のいずれか１項に記載のリラクゼーション空間。
【請求項１５】
前記天井（９）と吊り天井（５）との間に、前記排気手段（２０）に接続された上側緩衝空間（１１）が設けられることを特徴とする、請求項１〜１４のいずれか１項に記載のリラクゼーション空間。
【請求項１６】
前記床（１３）と地面（７）との間に、前記給気手段（１８）に接続された下側緩衝空間（１５）が設けられることを特徴とする、請求項１〜１５のいずれか１項に記載のリラクゼーション空間。
【請求項１７】
前記床（１３）の給気および排気手段は、オプションで熱回収装置が設けられた一体型の二流換気ユニット（２５）と、空調手段とで構成されることを特徴とする、請求項１〜１６のいずれか１項に記載のリラクゼーション空間。
【請求項１８】
空気流は層流であることを特徴とする、請求項１〜１７のいずれか１項に記載のリラクゼーション空間。
【請求項１９】
前記給気手段（２５）は、温度および相対湿度制御手段（３１）を含むことを特徴とする、請求項１〜１８のいずれか１項に記載のリラクゼーション空間。
【請求項２０】
前記温度および相対湿度制御手段（３１）は、それらの（遠隔）制御、修正、および保守のための手段を含むことを特徴とする、請求項１〜１９のいずれか１項に記載のリラクゼーション空間。
【請求項２１】
同じタイプの他のモジュールと組み合わせることができるモジュール式システムであることを特徴とする、請求項１〜２０のいずれか１項に記載のリラクゼーション空間。
【請求項２２】
各モジュールには、地面（７）および床（１３）、天井（５）および吊り天井（９）、ならびにガラスとすることができ、少なくとも１つの開口（３４）が設けられた横壁（３）を含む構造体と、空気処理技術手段のすべてを受け入れるボックス（３７）を画定する壁（３５）とが含まれることを特徴とする、請求項２１に記載のリラクゼーション空間。
【請求項２３】
空気の供給および排気は、それぞれ前記送風手段（８）および前記排気手段（２０）に接続されたマニホルド（１５、１１）を介して行われることを特徴とする、請求項１〜２２のいずれか１項に記載のリラクゼーション空間。
【請求項２４】
前記排気手段の流量（Ｑ２）は、前記リラクゼーション空間が外部大気と比較して若干低い圧力になるように、前記送風手段の流量（Ｑ１）よりも多いことを特徴とする、請求項１〜２３のいずれか１項に記載のリラクゼーション空間。
【請求項２５】
前記出入りドア（３４）のベース部には、前記空間内の処理空気の速度よりも高速の空気流によって形成されたカーテンを出入りドアの前方に発生させるのに適した手段（３９、４３）が設けられることを特徴とする、請求項１〜２４のいずれか１項に記載のリラクゼーション空間。
【請求項２６】
前記エアカーテンを発生させる前記手段は、前記出入りドア（３４）の幅の少なくとも端から端まで延びるスロット（３９）で構成され、前記空気流をその開口に吹きつけるように構成された手段（４３）によって給気されることを特徴とする、請求項２５に記載のリラクゼーション空間。
【請求項２７】
複数個を互いに結合することにより、リラクゼーション空間の上げ床および／または吊り天井となることを意図されたモジュール式ボックス（５０）であって、圧力がかかった空気流が、前記床の領域全体にわたって規則的に分布する穴（１６）を介してリラクゼーション空間に流入し、この空気流は、天井の領域全体にわたって規則的に分布する穴（１６）を介して排出されるモジュール式ボックスにおいて、前記ボックス（５０）は、前記穴（１６）があけられた水平方向の主面（５２）と、すべての前記ボックス（５０）を連通させる少なくとも１つの開口（５６）があけられた側面（５４）とを含み、空気が、圧力をかけられて、前記床（１３）を形成する前記ボックス（５０）に流入し、前記天井（９）を形成する前記ボックスを介して排出されることを特徴とする、モジュール式ボックス。
【請求項２８】
隣接するボックス（５０）に連結する手段（５５）を含むことを特徴とする、請求項２７に記載のモジュール式ボックス。
【請求項２９】
前記穴（１６）は、少なくとも２つの部分、すなわち、前記リラクゼーション空間に放出する下流部分（１６ａ）と、下流部分よりも断面が大きく、前記ボックスの内部に放出する上流部分（１６ｂ）とで構成されることを特徴とする、請求項２８に記載のモジュール式ボックス。
【請求項３０】
請求項１〜２６のいずれか１項に記載のリラクゼーション空間の前記床（１３）および／または前記天井（９）となることを意図されるモジュール式ボックス。
【発明の詳細な説明】
【技術分野】
【０００１】
本発明は、リラクゼーション空間、特に喫煙室に関する。
【背景技術】
【０００２】
喫煙室は、特に、公共の空間での喫煙に対して、法により規制が課された国において公知であり、喫煙者は、非喫煙者がいる懇親領域から離れて喫煙室に集まる。大抵の場合、これらの喫煙室は、特に２つの本質的な理由で、すなわち、１つには喫煙室の内装と、もう１つには有効な換気手段がない場合に、喫煙室が放ち、後で利用者が利用者の衣類についたと気づく不快な臭いのために、しばしば呼吸が苦しくなる喫煙室の雰囲気とで魅力のないものとなっている。
【０００３】
快適となるように空気を入れ換えることが必要とされる建物内で使用される換気手段は、煙っている建物を換気するのに使用される場合に、これらの換気手段が、さらに空調機能を持っているかどうかにかかわらず、通常効果的でないことは公知である。
【０００４】
大抵の場合、これらの換気手段は、清浄な空気流を建物に供給し、汚れた空気流を建物から排出するように構成された小換気口からなる。したがって、小さい送気／吸気換気口を介して建物内の大量の空気を素速く入れ換えることが必要とされる場合、空気流を比較的高速で循環させることが必要である。これらの条件下で、たとえ、律動的に送り込まれた空気が、空気が動かない場合には通常快適な温度と考えられる温度にあるとしても、特定の速度を超えると、この空気により、建物の利用者の皮膚に冷たいという感覚がもたらされるために問題が生じる。この現象はドローティネス（ｄｒａｕｇｈｔｉｎｅｓｓ）として公知である。
【０００５】
適切な速度で、すなわち、利用者に冷たいと感じさせることなく、快適な量の入れ換え空気を供給するための１つの問題解決策は、換気口および換気ダクトの直径を大きくすることである。
【０００６】
この場合、ダクトは、使用される建物の吊り天井に通常配置されるので、ダクトの体積のこの増大により、受け入れ難い空間の減少がもたらされるという点で問題が生じる。
【０００７】
特開平０６−２２９５８４号公報および特開平０４−１６１７４９号公報は、多数の穴をあけられ、空調される部屋の領域を覆う有孔プレートを通じて、空気が地表から供給される空調装置を提案している。この空気は「押し出し効果」で送り込まれ、このために、その領域全体にわたって同様に多数の穴をあけられた天井を介して排出される。
【０００８】
それでも、有孔プレート、言い換えると、薄壁を通過する空気が、例えば、穴が２ｍｍ〜５ｍｍ程度の小直径である場合に、高いレベルの流動騒音、一様な吹き鳴りを発生させる傾向があることが分かっている。
【発明の概要】
【発明が解決しようとする課題】
【０００９】
現時点では、リラクゼーション空間を作ることが必要とされる場合に、一方で女性の靴のヒールが小さいことに関連する問題を回避するために、床の穴が小直径であることが望ましく、他方で、それと同時に、前記空間において換気騒音によって乱されない静寂の恩恵を受けることが可能であることが望ましい。
【００１０】
本発明の目的は、空気入れ換え手段が、層流で空気を入れ換えることにより、利用者が冷たいと感じることなく、かつドロート（draught）を引き起こすことなく、その全容積を難なく新鮮にすることができるリラクゼーション空間を提案することで、これらの欠点をなくすことである。
【００１１】
本発明の別の目的は、空気の供給により、ドロートまたは知覚できる空気流騒音のいずれも発生することなく、床の全領域から空気が送り込まれ、天井の全領域から空気が排出される、そのようなリラクゼーション空間の実現を提案することである。
【課題を解決するための手段】
【００１２】
したがって、本発明は、空気を入れ換える手段を有するタイプのリラクゼーション空間、特に、喫煙室に存在し、その手段には、供給手段および排気手段が設けられ、前記入れ換え手段は、この空間の床全体および天井にわたって分布する穴で構成されており、リラクゼーション空間は、少なくとも床の穴が、少なくとも２つの部分、すなわち、前記リラクゼーション空間に開放した下流部分と、その下流部分よりも断面が大きく、床の他方の側で開放した上流部分とで構成されることを特徴とする。
【００１３】
下流穴部分の出口断面積は、上流穴部分の断面積の１／４程度とするのが好ましい。
【００１４】
穴は通常円形断面とされ、下流穴の直径は、２ｍｍ〜５ｍｍ、好ましくは３ｍｍ程度とすることができる。さらに、上流穴の直径は、８ｍｍ〜２０ｍｍ、好ましくは１５ｍｍ程度とすることができる。
【００１５】
異なる実施形態では、穴は、下流穴、上流穴、および中間穴で構成することができる。上流穴の直径は、１２ｍｍ程度とすることができ、中間穴の直径は、８ｍｍ程度とすることができる。下流穴の長さは、５ｍｍ〜８ｍｍ、好ましくは６ｍｍとすることができる。上流穴の長さは、２０ｍｍ〜６０ｍｍ、好ましくは４０ｍｍとすることができる。最後に、中間穴の長さは、５ｍｍ〜１５ｍｍ、好ましくは１０ｍｍとすることができる。
【００１６】
本発明によれば、給気手段は、建物の床を介して作用しており、排気手段は、建物の天井を介して作用している。
【００１７】
本発明の好ましい実施形態によれば、リラクゼーション空間は、穴があけられた上げ床および吊り天井を含み、後者の穴は、天井全体にわたって規則的な態様で、特に、３０００／ｍ２の分布密度で分布し、特に、五の目形配置で分布する。
【００１８】
空気は、床から吹き込まれ、天井から排出されるのが好ましく、天井と吊り天井との間に、排気手段に接続された上側緩衝空間が設けられるのが好ましい。同様に、床と地面との間に、給気手段に接続された下側緩衝空間が設けられる。
【００１９】
床の給気および排気手段は、オプションで熱回収装置が設けられる一体型の二流換気ユニットと空調手段とで構成することができる。空気流は層流となる。
【００２０】
給気手段は、温度および相対湿度制御手段を含むのが好ましく、温度および相対湿度制御手段は、それらの（遠隔）制御、修正、および保守のための手段を含むことができる。
【００２１】
本発明の有益な一実施形態では、リラクゼーション空間は、同じタイプの他のモジュールと組み合わせることができるモジュール式システムである。これらのモジュールには、地面および床、天井および吊り天井、ならびにガラスとすることができ、少なくとも１つの開口が設けられた横壁を含む構造体と、空気処理技術手段のすべてを受け入れるボックスを画定する壁とが含まれる。当然、空気処理技術手段は独立していてもよい。
【００２２】
空気の供給および排気は、それぞれ送風手段および排気手段に接続されたマニホルドを介して行われる。排気手段の流量は、リラクゼーション空間が外部大気と比較して若干低い圧力になるように、送風手段の流量よりも多いのが好ましい。
【００２３】
さらに、出入りドアのベース部には、前記空間内の処理空気の速度よりも高速の空気流によって形成されたカーテンを、出入り口の前方に発生させるのに適した手段が設けられる。このエアカーテンを発生させる手段は、ドアの幅の少なくとも端から端まで延びるスロットで構成され、前記空気流をその開口に吹きつけるように構成された手段によって給気される。
【００２４】
本発明はまた、複数個を互いに結合することにより、リラクゼーション空間の上げ床および／または吊り天井になることを意図されたモジュール式ボックスを提供し、圧力がかかった空気流は、床の領域全体にわたって規則的に分布する穴を介してリラクゼーション空間に流入し、この空気流は、天井の領域全体にわたって規則的に分布する穴を介して排出され、このボックスは、前記穴があけられた水平方向の主面と、すべてのボックスを連通させる少なくとも１つの開口があけられた側面とを含み、空気が、圧力をかけられて、床を形成するボックスからリラクゼーション空間に吹き込まれ、天井を形成するボックスを介してこの空間に排出されることを特徴とする。
【００２５】
モジュール式ボックスは、ボックスを隣接するボックスに連結するのに適した手段を含むのが好ましい。
【００２６】
さらに、穴は、少なくとも２つの部分、すなわち、前記リラクゼーション空間に放出する下流部分と、下流部分よりも断面が大きく、ボックスの内部に放出する上流部分とで構成することができる。
【００２７】
最後に、モジュール式ボックスは、上記の特徴をすべて有する、リラクゼーション空間の床および／または天井となることを意図され得る。
【００２８】
本発明の一実施形態が、非限定的な例として、添付の図面を参照して下記に説明される。
【図面の簡単な説明】
【００２９】
【図１】本発明のリラクゼーション空間の動作原理を示す、概略的な縦断面図である。
【図２】本発明のリラクゼーション空間の給気穴の部分縦断面図である。
【図３】本発明のリラクゼーション空間の給気穴の部分縦断面図である。
【図４】本発明のリラクゼーション空間の給気穴の部分縦断面図である。
【図５】本発明のリラクゼーション空間の給気穴の部分縦断面図である。
【図６】本発明のリラクゼーション空間の給気穴の部分縦断面図である。
【図７】給気および処理手段の理論図である。
【図８ａ】モジュール形式で作られた本発明のリラクゼーション空間の概略平面図である。
【図８ｂ】モジュール形式で作られた本発明のリラクゼーション空間の概略正面図である。
【図９】本発明の異なる実施形態の概略部分縦断面図である。
【図１０】本発明のリラクゼーション空間に給気する、かつ／または本発明のリラクゼーション空間から吸気するのに使用されるボックスを示す斜視図である。
【図１１】ボックスの様々な配置である。
【図１２】ボックスの様々な配置である。
【図１３】ボックスの様々な配置である。
【図１４】ボックスの様々な配置である。
【図１５】ボックスの様々な配置である。
【図１６】ボックス同士を留めるための部材の断面図である。
【発明を実施するための形態】
【００３０】
図１は、この場合、本発明による喫煙室１からなるリラクゼーション空間を示しており、喫煙室１は、壁３、天井５、および地面７の形態の構造包体で構成されている。喫煙室を作るのに、空気マニホルド（下記を参照のこと）である上側緩衝空間１１を天井５との間に成すように、天井５の下に特定の距離離れて吊り天井９がある。
【００３１】
同様に、地面７との間にやはりマニホルドを形成する下側緩衝空間１５を設けるために、地面７の上に所定の距離離れて支持板１３または床がある。
【００３２】
吊り天井９および床１３には、均一に、特に、五の目形配置で分布する穴１６がそれらの領域全体にわたってあけられている。これらの穴の分布密度は、３０００／ｍ２程度である。当然、空気流の流動パラメータ（下記を参照のこと）に応じて、穴の別の配置または密度を採用することができる。
【００３３】
公知のタイプの送風機の床は、それらの領域全体にわたって多数の穴があいた金属プレートで構成されていることに思い当たるであろう。これらの各穴の長さは短いので、穴を通過する空気流は、大幅な損失を受けないが、これらの穴を通る空気流には、高いレベルの流動騒音を発生させる効果があると分かった。
【００３４】
本発明は、好ましくは上質種（堅木）の木材、大理石、ガラスなどの中実材料で床１３を作製することを目的とする。そのような材料で作製された床は、その本質的な支持機能を果たすのに十分な強度にするために、先行技術のプレートと比較して相対的に厚くしなければならないのは明らかである。こういう理由のために、これらの条件下で、穴は、特に、直径が小さい場合に高い損失をもたらす。本発明のリラクゼーション空間の本来の目的のために、穴は、直径が小さくなければならない、すなわち、特に、いわゆるスチレットヒールタイプの靴のヒールよりも直径が小さくなければならない。
【００３５】
したがって、本発明の中で使用される穴は、直径が小さく、低い損失のみをもたらし、それにもかかわらず、空気流による騒音を発生させることなく、高い流量の空気を供給しなければならない。
【００３６】
処理される建物内に放出する穴の部分の上流に、直径がより大きい別の穴を設けることで、損失に関する問題と、薄い部材（厚さ５ｍｍ〜６ｍｍ程度の部材）を通る空気流によって発生する騒音に関する問題とが同時に解決されることが分かった。
【００３７】
図２に示す本発明の第１の実施形態では、床１３は、厚さｅが３０ｍｍ程度の無垢材、特にオーク材でできている。さらに、喫煙室１内に放出する穴１６の下流部分１６ａは、直径ｄ１が２ｍｍ〜５ｍｍ程度、好ましくは約３ｍｍであり、長さｅ１が４ｍｍ〜７ｍｍ程度、好ましくは約６ｍｍである。この部分１６ａの上流には、穴部分１６ａの直径ｄ１の少なくとも２倍に等しい直径ｄ２を有する別の穴部分１６ｂがある。部分１６ｂの長さは、床１３の厚さの残部ｅ２にわたって延びている。
【００３８】
図３に示すように、床１３は、重ねられた２つの部分、すなわち、１つは、その厚さｅ２を穴部分１６ｂの厚さに等しくすることができ、例えば、良好な熱および音響吸収特性を有する材料で作製できるベース部１３ａと、もう１つは、その厚さが上側穴部分１６ａに等しく、床１３に高級な外観を付与するために「より上質な」材料で作製され、磨り減りおよび衝撃に耐えることができる表面層１３ｂとで形成することができる。
【００３９】
さらに、穴１６の上流部分１６ｂに、より大きな直径を付与することで、２つの床部分１３ａ、１３ｂの正確な相対位置決めを容易にすることができる。
【００４０】
望ましくない騒音を発生させる乱流を防止して、穴１６内の空気流を改善するために、図４に示すように、下流の穴部分１６ａのすぐ上流に配置された、中間直径ｄ３の第３の穴部分１６ｃを形成して、直径ｄ２の穴部分をずらす（ｓｔａｇｇｅｒ）ことができる。
【００４１】
前記と同様に、および図５に示すように、各穴部分１６ａ、１６ｂ、１６ｃは、それぞれの材料が特定の特性を有する異なる材料の層で作製することができる。すなわち、下側層は機械的な支持体となり、例えば、削片板タイプの木材で作製ことができ、中間層は、良好な熱および音響吸収特性を有する材料で作製することができ、表面層は、床１３に高級な外観を付与し、磨り減りおよび衝撃に耐えることができる「より上質な」材料で作製することができる。
【００４２】
図６に示すように、下流の出口穴１６ａの上流に配置された穴部分１６ｂは、騒音を発生させる流れ妨害をさらに減らす効果を有する先細形状とすることができる。
【００４３】
それらの製造上の理由から、穴１６は通常円形断面とされるが、それと同時に、一部の特定の用途に対しては、穴１６は他の形状、特に正方形を有することができる。
【００４４】
図７に示すように、下側緩衝空間１５には、加圧空気供給ダクト１８が設けられ、上側緩衝空間１１には、排気ダクト２０が設けられている。
【００４５】
これらの条件下で、部屋の空間が、上方に移動する空気流によって一掃されるのは明らかであり、これは、部屋内に発生した煙を排出するのに特に有効であると分かった。空気流量は、喫煙室内部の流れが層流となるように調整されるのが好ましい。
【００４６】
本発明の一実施形態では、排気流量Ｑ１は、室内の圧力を若干下げるように、給気流量Ｑ２よりも大きい値に調整される。これは、特に、部屋が喫煙室として使用される場合に、部屋内部で発生した煙が部屋の外に広がるのを防止することを可能にする。
【００４７】
排気流量Ｑ１は、１時間当たり２０回〜５０回、好ましくは１時間当たり約３０回、室内の空気を入れ換えることを可能にするようなものとされる。したがって、例えば、４５ｍ３の部屋の場合、排気流量Ｑ１は、９００ｍ３／ｈ〜２２００ｍ３／ｈとなり、好ましくは１５００ｍ３／ｈ程度となる。下側ボックスは、室内の圧力が若干低くなるように、排気流量よりも３０％程度少ない流量Ｑ２で給気される。したがって、例えば、排気流量が１５００ｍ３／ｈの場合、ボックス内への吹き込み流量は、１１００ｍ３／ｈ程度となるのが好ましい。
【００４８】
これらの条件下で、室内の雰囲気は、その部屋にいる人々にとってより快適であり、そ
の人々は、臭い、騒音、熱、またはドロートから何ら不快さを感じないと分かった。
【００４９】
図７は、部屋１内の空気を供給／排出および調整する例を示している。給気ダクト１８は、消音器２２を介して二流換気ユニット２５の出口２３に接続され、空気排出ダクト２０は、消音器２６を介して換気ユニット２５の入口２７に接続されている。換気ユニットは、入口ダクト２９を介して新鮮な空気を吸い込む。
【００５０】
ヒートポンプ３１は、オプションとして、換気ユニット２５の出口で分岐３３に配置され、部屋１に送り込まれる空気を、必要に応じて、加熱するか、または冷却するのに使用される。
【００５１】
図８ａおよび図８ｂに概略的に示す本発明の異なる実施形態では、リラクゼーション空間はモジュール式であり、輸送可能である、すなわち、その要素のすべては、移動可能な独立アセンブリを形成する。したがって、このアセンブリは、給気ボックス１５を画定する地面７および有孔床１３と、上側排気ボックス１１を画定する天井５および有孔吊り天井９と、ガラス壁３’とで形成される構造体からなる。部屋１の奥端は、空気供給／排出および調整手段を収容する技術建物３７となる後部空間を画定する仕切り３５によって閉じられている。有利にも、前面は、出入りドア３４が設けられたガラス壁３’で構成することができる。そのような部屋は、電力供給手段が利用可能な任意の場所に、永続的に、または一時的に置くことができる。
【００５２】
様々なモジュールを互いに組み合わせて、空間全体を形成することができ、その空間全体の領域は、利用者の要求に応じて調整可能である。
【００５３】
本発明のリラクゼーション空間用給気および制御手段２５には、複数の利用者のものであるリラクゼーション空間を集中観測し、利用者各人の要求に応じて、リラクゼーション空間を特定の態様で遠隔から調整、修正、または修復するために介入する遠隔制御モジュールを設けることができる。
【００５４】
本発明の他の異なる実施形態では、特にドア３４、および任意の役に立つ扉口などの外への出入りを可能にする開口には、リラクゼーション空間が、上記のように、喫煙室として使用される場合に、部屋からの煙による周囲空間の汚染を防止するために、煙が室内から外部大気に漏れないようにすることを意図されたエアカーテンを設けることができる。
【００５５】
部屋の出入りドア３４に関しては、例えば、図９に示すように、ドア３４を開いたときに、建物の内部の空気流よりも速い速度で上向きに送り出される空気流がそこを通ってもたらされるスロット３９を建物の床１３にドア３４の全幅にわたって設けることにより、このエアカーテンが得られる。
【００５６】
このために、図９に示すように、スロット３９を囲むボックス４１が作製され、スロット３９は、例えば、ドアが開くとすぐに、ドアに連結された感触器４５が検出することによって駆動され、ドアが閉じたときに停止される加圧手段４３によって給気される。高くした圧力に空気が常に維持され、ドアが開くとすぐに作動されるか、または常に作動される開放制御手段が設けられたミニボックスを作製することもできる。
【００５７】
本発明の有益な変形では、部屋の床および／または天井は、隣接して並んで配置され、組み立てられたモジュール式要素で構成することができる。
【００５８】
有利にも、これらのモジュールは、その内部空間がそれぞれ天井および床の空気分散緩衝空間を形成するボックスで形成することができる。図１０に示すように、各ボックス５０は、この例では正方形形状の水平方向の主面５２および側面５４で構成されている。これらのボックスは、図１１に示すように、隣接して組み立てられる、すなわち、ボックスはそれらの側面５４で互いに連結されて、ボックスが床または天井となる部屋または部屋モジュールの全領域および形状全体を埋める。
【００５９】
このように、その配置が建物の配置となる正方形のモジュール式ボックス５０を使用することができる。したがって、ボックスは、図１１に示すような縦方向、または図１２および図１３に示すようなＬ字形状もしくはＴ字形状に配置することができる。建物の形状および寸法とボックス５０の対応する寸法とを合わせるのを容易にするために、ボックスの一部、図１４のボックス５０ａは、より小さい寸法、例えば、ボックス５０の寸法の半分とすることができる。
【００６０】
当然ながら、図１５に示すように、異なる形状、例えば、長方形形状または三角形形状のモジュール式ボックスを使用することもでき、図１５では、ボックス５０ｃは、正三角形の形状または正三角形の半体５０ｄの形状である。そのような構成により、得られた美的効果のほかに、リラクゼーション空間が形成される建物、特に喫煙室の形状および領域を「埋める」ことが可能になる。
【００６１】
本発明によれば、ボックス５０の側面５４は、ボックスの内部で、１つまたは複数の空気入口からの空気の自由な循環を可能にすることを意図された開口５６をあけられている。これらの開口５６は、２つの隣接するボックスの側面５４同士が組み立てられたときに向かい合うように配置される。
【００６２】
有利にも、モジュール式ボックス５０には、モジュール同士を固定し、気密する固定手段が設けられている。したがって、ねじを使用してよいし、または図１６に示すように、例えば、側面５４にこのために設けられた陥凹ハウジング内に配置されたクリップ５５を使用してもよい。そのようなクリップ５５は、例えば、モジュール式ボックス５０が所定の位置にある場合に、向かい合う側面５４の領域に配置された２つの相補的要素で構成される。これらのクリップの相補的要素の一方は、取り付け時に、一方のクリップ要素が相補的クリップ要素に押し込まれたときに、クリップ要素が外れるのを防止するために、クリップ要素に配置された変形可能な舌状部６１を含むことができる。
【００６３】
他の任意の固定要素を使用して、様々なモジュール式ボックス５０を互いに固定することができるのは明らかである。
【００６４】
さらに、モジュール式ボックス５０の主面５２は、送風機による流れを建物内に導入するための穴１６をあけられる。当然、これらの穴は、ボックスのない床の実施形態で上記したものと同じタイプとなる。
【００６５】
主面５２は、歩行面となるか、またはそうではなくて、ボックス５０を構築するために使用される材料よりも上質および／もしくは強い材料で作製されたプレート６０で覆われるかのいずれかとすることができる。
【図１】
2012524881.tif 000003
【図２】
2012524881.tif 000004
【図３】
2012524881.tif 000005
【図４】
2012524881.tif 000006
【図５】
2012524881.tif 000007
【図６】
2012524881.tif 000008
【図７】
2012524881.tif 000009
【図８ａ】
2012524881.tif 000010
【図８ｂ】
2012524881.tif 000011
【図９】
2012524881.tif 000012
【図１０】
2012524881.tif 000013
【図１１】
2012524881.tif 000014
【図１２】
2012524881.tif 000015
【図１３】
2012524881.tif 000016
【図１４】
2012524881.tif 000017
【図１５】
2012524881.tif 000018
【図１６】
2012524881.tif 000019
【国際調査報告】
2012524881.tif 000020
2012524881.tif 000021
2012524881.tif 000022
2012524881.tif 000023
2012524881.tif 000024
2012524881.tif 000025